(57)【要約】【課題】ブラシ毛を束ねたときにその露出部分に触れにくくし、かつ、ブラシ毛に付いた髪の毛等を容易に取り除く機構をもつヘアーブラシを提供する。【解決手段】ヘアーブラシ１０は、ベース板１２上にブラシ毛Ｈが一体形成される。ベース板１２は、一対の軸棒１３Ａ，１３Ｂ間に撓ませて架け渡され、この撓みの反転操作によって前記ブラシ毛の起立状態を切り替える。軸棒１３Ａ，１３Ｂには保護網１８がブラシ毛Ｈにスリット状網目Ａを通して架け渡される。【選択図】図１
2005230369.tif 000002
【特許請求の範囲】
【請求項１】
ベース板上にブラシ毛を一体形成するとともに、このベース板を一対の軸棒間に撓ませて架け渡し、この撓みの反転操作によって前記ブラシ毛の起立状態を切り替えるようにしたヘアーブラシにおいて、
前記一対の軸棒間に、前記ブラシ毛を網目に通して架け渡される保護網を設けたことを特徴とするヘアーブラシ。
【請求項２】
前記保護網は、前記一対の軸棒間の幅方向に延びるスリット状網目を有する、請求項１記載のヘアーブラシ。
【請求項３】
前記保護網の幅方向中央部であって前記保護網の長さ方向の軸線上に、前記スリット状網目の網材を補強する補強網材を設ける、請求項２記載のヘアーブラシ。
【発明の詳細な説明】
【技術分野】
【０００１】
本発明は、ヘアーブラシに関するもので、詳しくは、ブラシ毛の収納機構をもつコンパクトブラシに適用されるものである。
【背景技術】
【０００２】
従来より、コンパクトブラシの一種として、ブラシ毛の起立状態を切り替えて携帯性を高めたヘアーブラシが知られている。この種のヘアーブラシは、樹脂等からなるベース板上にブラシ毛を一体形成し、このベース板の撓みの反転操作によってブラシ毛を立ち上げたり、また、束ねたりする機構を備えている。ヘアーブラシの構成は、例えば、特許文献１に開示されるように、ほぼ平行な間隔を保って一対の軸棒が設けられ、これらの軸棒の間にベース板が架け渡される。ベース板の板幅は、軸棒間の幅よりも大きく、この長さの差によってベース板が軸棒間でアーチ状に撓む。
ベース板が手前側に膨らむように撓んだときには、ブラシ毛が拡がるように立ち上がって通常のヘアーブラシと同様に使用することができ、一方、ベース板が奥に引っ込むように撓んだときは、ブラシ毛が軸棒間の中央付近に閉じるように束ねられる。
そして、このようにブラシ毛が束ねられたときには、ヘアーブラシがコンパクトな形態になるために、ケースに収納したり、バックに入れて持ち歩くといった携帯時の取り扱いが便利になる。
【０００３】
【特許文献１】実公昭５９−２７７７６号公報
【発明の開示】
【発明が解決しようとする課題】
【０００４】
しかしながら、このような従来のコンパクト型のヘアーブラシでは、次のような問題が生じている。
(1)ブラシ毛を束ねても、その露出部分に簡単に触れることができるため、ブラシ毛に汚れが付きやすい。例えば、バックの中にヘアーブラシを入れて携帯していると、他の所持品の汚れがブラシ毛に付いたり、反対に、ブラシ毛の汚れが所持品に付着することがある。
(2)ヘアーブラシの使用時に髪の毛等がブラシ毛に絡まって残りやすい。このため、このようなブラシ毛に絡まった髪の毛等を取り除く作業が面倒になる。
【０００５】
本発明のヘアーブラシは、このような問題を解決するためになされたものであり、ブラシ毛を束ねたときにその露出部分に触れにくくし、かつ、ブラシ毛に付いた髪の毛等を容易に取り除く機構をもつヘアーブラシを提供することを目的としている。
【課題を解決するための手段】
【０００６】
［第１発明］
前記課題を解決するための本発明（第１発明）のヘアーブラシは、ベース板上にブラシ毛を一体形成するとともに、このベース板を一対の軸棒間に撓ませて架け渡し、この撓みの反転操作によって前記ブラシ毛の起立状態を切り替えるようにしたヘアーブラシにおいて、
前記一対の軸棒間に、前記ブラシ毛を網目に通して架け渡される保護網を設けたことを特徴としている。
【０００７】
本発明（第１発明）によれば、ベース板を手前側に膨らむように撓ませると、ブラシ毛が立ち上がると同時に、保護網がベース板に重なり、保護網の網目がブラシ毛の根元付近に保持される。このため、ブラッシングの際に保護網がブラシ毛の邪魔になることはない。
【０００８】
一方、ベース板を奥側に引っ込めるように撓ませると、保護網が元の位置に保たれたままブラシ毛が保護網の網目を通して奥側に後退し、保護網の網目がブラシ毛の毛先付近の位置に保持される。このとき、ブラシ毛のうちベース板と保護網との間に格納された部分は、保護網で覆われるため、これらの露出部分には容易に触れることができない。この結果、ヘアーブラシを携帯する際に、ブラシ毛に汚れが付きにくくなる。
【０００９】
また、ヘアーブラシの使用時にブラシ毛に髪の毛が絡まって残っている場合には、上記のように、ブラシ毛が保護網の網目を通して奥側に後退するときに、その網目に髪の毛が引っ掛かり、保護網上に集められる。このため、保護網に集められた髪の毛を取り除くことで、簡単にブラシ毛を掃除することができる。
【００１０】
［第２発明］
本発明（第２発明）のヘアーブラシは、前記保護網が、前記一対の軸棒間の幅方向に延びるスリット状網目を有することを特徴としている。
【００１１】
前記第１発明において、ベース板の撓みを反転させるときのブラシ毛の動きに着目すると、ブラシ毛は、これらの毛先が軸棒間の幅方向に拡大または縮小するように動く。このとき、ブラシ毛の動作の軌跡は、軸棒に対してほぼ垂直な平面を描くことになる。
本発明（第２発明）の構成によれば、軸棒間の幅方向に延びるスリット状網目にブラシ毛が通されるため、この網目をブラシ毛の軌道に合わせることができ、ブラシ毛の動作のためのスペースが効率よく確保される。これにより、ベース板の反転操作をより簡単かつ確実に行うことができる。また、スリット状網目にブラシ毛を通すことで、ブラシ毛と網材との隙間（ベース板の長さ方向の隙間）を狭くすることができ、前述したような保護網による髪の毛の回収をより確実に行うことができる。
【００１２】
［第３発明］
本発明（第３発明）のヘアーブラシは、前記保護網の幅方向中央部であって前記保護網の長さ方向の軸線上に、前記スリット状網目の網材を補強する補強網材を設けることを特徴としている。
【００１３】
このような構成によれば、スリット状網目により低下しがちな保護網の網面強度を高めることができる。すなわち、保護網の網目がスリット状に長く延びていると、その網材のスリット長さ方向の強度が低下しやすく、網目の張りが弱くなる。本発明（第３発明）では、保護網の補強網材を形成することにより、このような保護網の強度低下を抑えることができる。
また、保護網の幅方向中央部であって前記保護網の長さ方向の軸線上に補強網材が設けられるため、ブラシ毛が拡大・縮小するときに、補強網材がブラシ毛の邪魔になりにくい。これにより、ブラシ毛の起立状態の切り替え操作もスムーズに行える。
【００１４】
本発明（第１〜３発明）のヘアーブラシは、整髪用のブラシとして使用することが望ましいが、このような目的に限定されることなく、ペット用ブラシ、洋服用ブラシ等の他の用途のブラシにも適用することもできる。
本発明（第１〜３発明）は、必要に応じて単独で適用してもよいし、これらの発明を組み合わせて適用してもよい。また、本明細書に記載される他の発明を組み合わせてもよい。
【発明を実施するための最良の形態】
【００１５】
以下、本発明の実施の形態を図面に基づいて説明する。
本発明を適用したヘアーブラシ１０を図１に示した。ヘアーブラシ１０は、ブラシ毛Ｈを有するベース板１２と、このベース板１２を撓ませて支持する軸棒１３Ａ，１３Ｂ（図４参照）とを備えている。ベース板１２の前後には、軸棒１３Ａ，１３Ｂをほぼ平行に保って支持する止め具１５，１６が設けられる。ベース板１２の表面側（図１で上面側）には保護網１８が取り付けられている。
【００１６】
ベース板１２は、弾性材料からなるもので、その表面にブラシ毛Ｈが一体形成される。ベース板１２の横幅は、軸棒１３Ａ，１３Ｂ間の距離よりも大きい。これにより、ベース板１２が軸棒１３Ａ，１３Ｂを結ぶ平面に対して手前側に膨らんだり、また、奥側に引っ込むように撓む。
【００１７】
ベース板１２に一体成形されるブラシ毛Ｈは、ほぼ均一な長さで、ブラシ毛Ｈの毛先（先端）には球状部が形成される。ベース板１２が手前側に膨らんで撓んでいるときには、ブラシ毛Ｈがベース板１２の凸面に沿って外向きに立ち上がる（図６参照）。一方、ベース板１２が奥側に引っ込んで撓んでいるときには、ブラシ毛Ｈがベース板１２の凹面に沿って内向きに束ねられることになる（図７参照）。
【００１８】
図２に示すように、ブラシ毛Ｈの配列は、ベース板１２の幅方向（図２で上下方向）中央に２本、左右端部（図２で上下端部）にそれぞれ２本が交互に並ぶ。これら６本のブラシ毛Ｈがベース板１２の長さ方向（図２で左右方向）にほぼ一定の間隔を保って設けられている（図３参照）。
このようにブラシ毛Ｈが配列されることで、各ブラシ毛Ｈがその立ち上げ時に適度な間隔を保ち、ブラシ毛Ｈの収納時には、各ブラシ毛Ｈの毛先が中央に集まるように束ねられる。
【００１９】
図４に示すように、ベース板１２の裏面の長さ方向には複数の凸条１２ａが延びている。各凸条１２ａは、ベース板１２の幅方向（図４で上下方向）に一定間隔を保って設けられる。これらの凸条１２ａにより、ベース板１２の長さ方向の曲げ強度が高められている。
【００２０】
図６に示すように、ベース板１２の端部には、筒部１２ｂが一体形成される。この筒部１２ｂは、軸棒１３Ａ，１３Ｂに対して回動可能になっている。ベース板１２の撓みを反転させるとき、筒部１２ｂが軸棒１３Ａ，１３Ｂに対して回動することで、反転操作が容易に行えるようになっている。
【００２１】
保護網１８は、網材１８ａの間にスリット状網目Ａを有している（図１参照）。これらのスリット状網目Ａにブラシ毛Ｈが通される。
図５に示すように、スリット状網目Ａは、保護網１８（ベース板１２）の幅方向に延び、ベース板１２の中央２本のブラシ毛Ｈを通す網目Ａ1と、左右両側（図２で上下）２本のブラシ毛Ｈを通す網目Ａ2とが、ベース板１２の長さ方向に交互に並んで形成されている。
このようにスリット状網目Ａ1，Ａ2が保護網１８の幅方向に延びて設けられることで、ベース板１２の反転操作の際に、スリット状網目Ａ1，Ａがブラシ毛Ｈの動作を邪魔することがない。すなわち、スリット状網目Ａ1，Ａ2に各ブラシ毛Ｈの動くスペースが効率よく確保される。
【００２２】
保護網１８の幅方向（図５で上下方向）であってその長さ方向の軸線上には、補強網材１８ｂが形成される。補強網材１８ｂは、ベース板１２の長さ方向にスリット状網目Ａの網材１８ａを連結し、網面の長さ方向に対する曲げ強度を高める役割を果たす。
【００２３】
保護網１８の四隅部分にはリング部１８ｃが設けられる。リング部１８ｃは、保護網１８の網面に対して下向きに形成されている。これらのリング部１８ｃが軸棒１３Ａ，１３Ｂに挿入されることで、保護網１８がブラシ毛Ｈを通してベース板１２上に保持されている。
保護網１８の幅は、軸棒１３Ａ，１３Ｂ間の距離よりも若干長い。これにより、保護網１８の網面は、軸棒１３Ａ，１３Ｂを結ぶ平面よりも手前側に（図１で上方側）に若干膨らむように撓む。なお、保護網１８の撓みは、ベース板１２のように反転せず、常に一定位置に保持される。
【００２４】
保護網１８の幅方向の両端には、それぞれ２箇所（合計４箇所）のスライド爪１８ｄが設けられる。これらのスライド爪１８ｄは、ベース板１２の反転操作時にその筒部１２ｂの筒面に摺動するようになっている。ベース板１２を奥側に撓ませた状態（図７参照）で、保護網１８を上から押しても、スライド爪１８ｄが筒部１２ｂに引っ掛かるため、保護網１８がベース板１２側へ凹むのが防止される。
【００２５】
ヘアーブラシ１０を使用する場合、図６に示すように、ベース板１２を手前側（図６で上側）に撓ませてブラシ毛Ｈを立ち上げる。このとき、ブラシ毛Ｈがベース板１２上で放射状に拡がるため、これらのブラシ毛Ｈで髪の毛を解くことができる。保護網１８は、ベース板１２上に重なってその網目がブラシ毛Ｈの根元付近に保持されるため、ブラッシングの邪魔になることはない。
【００２６】
一方、ヘアーブラシ１０を携帯する場合は、図７に示すように、ベース板１２を奥側（図７で下側）に撓ませてブラシ毛Ｈを束ねると、ブラシ毛Ｈの毛先がベース板１２上の中央に集まるように束ねられる。このとき、保護網１８は、元の位置にそのまま保持されるため、ブラシ毛Ｈの毛先から下の露出部分がベース板１２と保護網１８との間に隠れる。この結果、このようなブラシ毛Ｈの隠れた部分は外部から接触しにくくなり、ブラシ毛Ｈに汚れが付いたり、逆にブラシ毛Ｈの汚れが他の所持品等に付着するのが防止される。
【００２７】
また、ブラッシングの際に抜け毛などがブラシ毛Ｈに絡まって残ることがあるが、このような場合には、ベース板１２の撓みが手前側から奥側に切り替わるときに、ブラシ毛Ｈに絡まった髪の毛が保護網１８の網面に引っ掛かって集められる。使用者は、保護網１８上に集まった毛を適時取り除くことで、簡単にブラシ毛Ｈを掃除することができる。髪の毛の他、繊維などのゴミがブラシ毛に付いているときでも、このような操作によって簡単に取り除くことができる。
【００２８】
前記本発明の実施形態を説明したが、本発明の実施形態はこれに限られず、各構成部分に変更を伴ってもよい。例えば、前記実施形態では、ブラシ毛Ｈの長さを均一に揃えているが、図８に示すように、中央の列よりも外側の列が長くなるようにしてもよい。このような構成によれば、ブラシ毛Ｈの立ち上げ時にはこれらの毛先が平面上に並び、より広い範囲の一度にブラッシングしやすくなる（図８(Ａ)参照）。また、ブラシ毛Ｈを束ねたときには、これらの毛先が保護網１８の中央に集まりやすくなる（図８(Ｂ)参照）。
【００２９】
また、前記実施形態では、保護網１８のリング部１８ｃに切り欠きを設けてＣ字形のリング部としてもよい。このような構成によれば、Ｃ字形の切り欠き部分を弾性変形させることで、軸棒１３Ａ，１３Ｂにリング部１８ｃを嵌め込むことができ、保護網１８を任意に着脱可能にすることができる。
【図面の簡単な説明】
【００３０】
【図１】本発明の実施形態によるヘアーブラシを示す斜視図である。
【図２】本発明の実施形態によるヘアーブラシを示す一部切欠き平面図である。
【図３】本発明の実施形態によるヘアーブラシを示す側面図である。
【図４】本発明の実施形態によるヘアーブラシを示す底面図である。
【図５】本発明の実施形態によるヘアーブラシの保護網を示す平面図である。
【図６】本発明の実施形態によるヘアーブラシを示すもので、ブラシ毛を立ち上げた状態を示す断面図である。
【図７】本発明の実施形態によるヘアーブラシを示すもので、ブラシ毛を束ねた状態を示す断面図である。
【図８】本発明の他の実施形態によるヘアーブラシを示すもので、（Ａ）はブラシ毛を立ち上げた状態を示す断面図、（Ｂ）はブラシ毛を束ねた状態を示す断面図である。
【符号の説明】
【００３１】
１０    ヘアーブラシ
１２    ベース板
１２ｂ  筒部
１３Ａ，１３Ｂ  軸棒
１５，１６    止め具
１８    保護網
１８ａ  網材
１８ｂ  補強網材
１８ｃ  リング部
１８ｄ  スライド爪
Ｈ    ブラシ毛
Ａ    スリット状網目
【図１】
2005230369.tif 000003
【図２】
2005230369.tif 000004
【図３】
2005230369.tif 000005
【図４】
2005230369.tif 000006
【図５】
2005230369.tif 000007
【図６】
2005230369.tif 000008
【図７】
2005230369.tif 000009
【図８】
2005230369.tif 000010